(57)【特許請求の範囲】
【請求項１】
鉄骨部材を用いて直方体状に枠組みされた架台と、
この架台によって水平に支持されるとともに平面視矩形状をなす開口部が設けられたデッキ部と、
前記開口部の一対の端縁に沿って水平方向へスライド可能に前記開口部に跨設された足場板と、
この足場板の下面に一端が枢着されるとともに棒状の係止部が側方へ突出するように形成された把持具と、
前記架台によって支持されるとともに前記デッキ部の前記開口部の平行な一対の端縁に沿うように前記デッキ部の下方に設置された一対のガイドレールと、
この一対のガイドレール上を走行可能に配置されるとともに前記足場板の下面に設置された一対のガイドローラと、
前記ガイドレールと平行をなすように前記架台に固定されて前記足場板の下方に設置されるとともに複数の係止溝を有する長尺状の係止具と、を備え、
前記係止溝は、前記係止具の長手方向に沿うとともに前記足場板に対向するように設けられ、
前記把持具の前記係止部が前記ガイドレールに対して直交するとともに前記足場板の移動に伴って前記係止具の複数の前記係止溝に対して順次係止可能に配置されたことを特徴とする足場隙間体感研修装置。
【請求項２】
前記デッキ部を囲むように前記架台の上面に立設される安全枠を備えたことを特徴とする請求項１に記載の足場隙間体感研修装置。
【請求項３】
前記安全枠に固定され前記デッキ部の前記開口部を跨ぐように設置される棒状の取付具を備えたことを特徴とする請求項２に記載の足場隙間体感研修装置。
【発明の詳細な説明】
【技術分野】
【０００１】
本発明は、高所作業時に設置される作業用足場の危険性を体感する装置に係り、特に、作業用足場の隙間からの墜落という実作業時に発生し得る危険な状況を疑似体験できる足場隙間体感研修装置に関する。
【背景技術】
【０００２】
労働現場では、労働災害の発生を防止するために、作業者に対して定期的に安全教育が行われている。しかし、それが作業者の知識不足を補うことのみを目的とするものである場合には、あまり効果が期待できない。すなわち、個々の作業に関する知識が十分であっても、作業者の安全意識が低い場合には、労働災害が発生し易い。そこで、近年では、作業者に実際の作業を行う際に発生し得る危険な状況を模擬的に体験させて、作業者の危険予知能力を高めることが推奨されており、それに用いられる設備や装置等に関して、いろいろな発明がなされている。
【０００３】
例えば、特許文献１には、「足下注意体感・体験装置」という名称で、歩行する場所の状況により、どのような点に注意が必要かを体験若しくは体感するための装置に関する発明が開示されている。
この特許文献１に開示された発明は、歩行路を構成する路面部に形成された升目状開口に路面再現部材が嵌め込まれるとともに、路面部の両側に手摺りが設置された構造となっている。
このような構造により、日常生活や労働の場において歩行者が実際に歩行する可能性のある路面が容易に再現される。したがって、歩行者はそれらの路面上を歩行する際に遭遇する様々な危険を事前に体感したり、体験したりすることができる。
【０００４】
また、特許文献２には、「移動型安全体感設備用架構」という名称で、建設現場における重量物の吊り下げや高所作業時における危険性と安全性を体感するための設備に関する発明が開示されている。
特許文献２に開示された「架構」は、上段支柱によって支持される床スラブが、基礎スラブを起点として立設される複数の下段支柱に沿ってチェーン駆動機構により上下方向へ移動可能に設置されるとともに、基礎スラブを支持するアウトリガが収納可能に形成されたことを特徴としている。
このような構造によれば、トラックなどの車両からの荷降ろしや荷積みの際の人的作業を最少限にすることができる。
【０００５】
さらに、特許文献３には、「移動型安全体感設備用架構および安全体感教育方法」という名称で、車両に積載して輸送することが可能な「架溝」とそれを用いた「安全体感教育方法」に関する発明が開示されている。
特許文献３に開示された発明である「移動型安全体感設備用架構」は、床スラブが、基礎スラブを起点として立設されるテレスコピック型の複数の支柱によって昇降可能に支持され、アウトリガによって基礎スラブが支持されるとともに、基礎スラブよりも高所に荷揚げ手段が設置された構造となっている。
このような構造によれば、支柱を短縮させることで、車両に搭載した際の高さが低くなり、輸送状態が安定化するため、輸送時の安全性が高まる。したがって、作業現場が遠隔地にある場合でも、当該「架構」を安全に輸送して、作業現場近郊において、吊荷のハンドリングに関する模擬実習等を作業者に体験させることができる。
【先行技術文献】
【特許文献】
【０００６】
【特許文献１】特開２０１３−２５０４６５号公報
【特許文献２】特開２０１３−２１８１０２号公報
【特許文献３】特開２０１２−２０３０１４号公報
【発明の概要】
【発明が解決しようとする課題】
【０００７】
建物や機械設備の工事等に係る高所作業では作業用足場が設置されるが、この作業用足場からの墜落等の事故を防止するため、危険性を体感する研修として「安全帯によるぶら下がり体感」や「墜落衝撃体感」、あるいは「高所足場歩行体感」が一般的に実施されている。
特許文献１に記載された発明は、確かに、様々な路面を歩行するという体験を通して、路面の状況が通常と異なる場合に起こり得る危険を予知するという作業者の能力を高めることができるものの、上述の高所作業を行う作業者に対する研修機材としては利用することができない。
また、特許文献２や特許文献３に係る発明では、明細書にも記載されているように、吊荷のハンドリングに関する模擬実習に加え、上述の「安全帯ぶら下がり体感実習」や「安全帯落下検証実習」を行うことができる。しかしながら、これらの発明では、高所作業時に設置される作業用足場の隙間の大きさにより危険性がどの程度高まるか等の間隔を身につけるための研修機材として利用することができない。
【０００８】
本発明はかかる従来の事情に対処してなされたものであって、高所作業等を行う作業者の危険予知能力を高めるための研修機材として利用され、特に、作業用足場の隙間からの墜落という実作業時に発生し得る危険な状況を作業者に疑似体験させることが可能な足場隙間体感研修装置を提供することを目的とする。
【課題を解決するための手段】
【０００９】
上記目的を達成するため、第１の発明である足場隙間体感研修装置は、鉄骨部材を用いて直方体状に枠組みされる架台と、この架台によって水平に支持されるデッキ部と、を備え、このデッキ部に平面視矩形状をなす開口部が設けられたことを特徴とするものである。なお、本発明における「平面視矩形状をなす開口部」には「平面視略矩形状をなす開口部」も含まれるものとする。
デッキ部に設けられた開口部を作業用足場の隙間に見立てた場合、この隙間を利用することにより作業用足場の隙間からの墜落という状況を高所作業等を行う作業者等に疑似体験させることができる。したがって、本発明の足場隙間体感研修装置は、当該作業者の危険予知能力を訓練するための研修機材としての機能を有している。
【００１０】
また、第２の発明は、第１の発明において、デッキ部は、開口部に跨設される足場板を備え、この足場板はその両端がそれぞれ設置される開口部の一対の端縁に沿って水平方向へスライド可能に設置されたことを特徴とするものである。
上記構造の足場隙間体感研修装置を、受講者に作業用足場板の隙間からの墜落を疑似体験させる研修機材として用いた場合、本発明は第１の発明の作用に加え、開口部の端縁に沿って水平方向へ足場板をスライドさせることにより、デッキ部に形成される開口部の大きさが変化するという作用を有する。
【００１１】
第３の発明は、第２の発明において、架台によって支持される一対のガイドレールがデッキ部の開口部に対し、その平行な一対の端縁に沿うようにデッキ部の下方に設置され、一対のガイドレール上を走行可能に配置される一対のガイドローラが足場板の下面に設置されたことを特徴とするものである。
このような構造の足場隙間体感研修装置においては、第２の発明の作用に加え、足場板のスライド機構がガイドレールとガイドローラという簡単な形状の部材の組合せによって容易に実現されるという作用を有する。
【００１２】
第４の発明は、第３の発明において、足場板の下面に一端が枢着される把持具と、ガイドレールと平行をなすように架台に固定されて足場板の下方に設置される長尺状の係止具と、を備え、この係止具は、その長手方向に沿って複数の係止溝が足場板に対向するように設けられ、把持具は、側方へ突出するように形成される棒状の係止部を有し、この係止部がガイドレールに対して直交するとともに、足場板の移動に伴って係止具の複数の係止溝に対して順次係止可能に配置されたことを特徴とするものである。
このような構造の足場隙間体感研修装置においては、第３の発明の作用に加え、足場板の把持具に設けられた係止部が係止具の係止溝に係止することにより、足場板が架台に対して固定されるという作用を有する。  
【００１３】
第５の発明は、第１乃至第４の発明において、デッキ部を囲むように架台の上面に立設される安全枠を備えたことを特徴とするものである。
このような構造の足場隙間体感研修装置においては、第１乃至第４の発明の作用に加えて、安全枠によってデッキ部に搭乗した受講者等の落下が防止されるという作用を有する。
【００１４】
第６の発明は、第５の発明において、安全枠に固定されデッキ部の開口部を跨ぐように設置される棒状の取付具を備えたことを特徴とするものである。
このような構造の足場隙間体感研修装置において、作業用足場の隙間からの墜落を体験する研修等にデッキ部の開口部を使用しない場合には、開口部と取付具を利用して「安全帯ぶら下がり体感実習」を行うことができる。その際に、取付具は、安全帯に繋いだロープ等を吊り下げるために用いられる。
【発明の効果】
【００１５】
第１の発明を危険予知能力の訓練をするための研修機材として用いた場合、作業用足場の隙間からの墜落という疑似体験を通して、その研修の受講者は高所作業において発生し得る各種の危険について再認識するとともに、高所作業時における作業手順や姿勢によって、どの程度隙間から墜落し易くなるかということ体感できるため、危険に対する意識が強くなり、危険予知能力が高められる。
【００１６】
第２の発明を前述の研修機材として用いた場合、作業用足場の隙間に相当するデッキ部の開口部の大きさを変更することにより、受講者は、作業用足場の隙間について、各自の体形や作業姿勢に応じて、墜落する可能性がある最小サイズを容易に確認することができる。その結果、受講者は作業用足場の隙間からの墜落の危険性を高い精度で予測することが可能となる。したがって、本発明では、第１の発明の効果に加え、作業用足場の隙間からの墜落事故を防止するために適切な対策を立てることができるという効果を有している。
【００１７】
第３の発明によれば、第２の発明の効果に加え、足場板のスライド機構を安価に実現できるという効果を奏する。
【００１８】
第４の発明によれば、第３の発明の効果に加え、足場板をスライドさせる際に用いる把持具が架台に対して足場板を固定させるロック機構を兼ねており、このロック機構が簡単な形状の把持具と係止具によって構成されていることから、安価に製造できるという効果を奏する。
【００１９】
第５の発明によれば、第１乃至第４の発明の効果に加え、安全性に優れるという効果を奏する。
【００２０】
第６の発明によれば、第５の発明の効果に加え、デッキ部の開口部を墜落体感実習以外の用途に有効利用できるという効果を奏する。
【図面の簡単な説明】
【００２１】
【図１】本発明の実施の形態に係る足場隙間体感研修装置の実施例の外観斜視図である
【図２】図１に示した足場隙間体感研修装置の平面図である。
【図３】（ａ）は図２におけるＡ方向矢視図であり、（ｂ）は同図（ａ）に示されたＢ部の拡大図である。
【図４】（ａ）は把持具の側面図であり、（ｂ）は把持具が係止具に係止した状態を示す平面図であり、（ｃ）は同図（ｂ）におけるＣ−Ｃ線矢視断面図である。
【発明を実施するための形態】
【００２２】
本発明の足場隙間体感研修装置の構造について図１〜図４を用いて具体的に説明する。なお、本実施例では作業用足場の隙間を４通りに設定可能な構造となっているが、隙間のパターンやその数については本実施例に示した場合に限定されるものではなく、適宜変更可能である。
【実施例】
【００２３】
図１及び図２はそれぞれ本発明の足場隙間体感研修装置の一例を示す外観斜視図及び平面図である。そして、図３（ａ）は図２におけるＡ方向矢視図であり、図３（ｂ）は図３（ａ）に示されたＢ部の拡大図である。また、図４（ａ）は把持具の側面図であり、図４（ｂ）は把持具の係止部が係止具の係止溝に係止した状態を示す平面図であり、図４（ｃ）は図４（ｂ）におけるＣ−Ｃ線矢視断面図である。
なお、図３（ａ）では踏み台を破線で示し、図４（ａ）及び図４（ｃ）では足場板と固定具を破線で示している。
【００２４】
図１乃至図４に示すように、本実施例の足場隙間体感研修装置は、鉄骨部材を用いて略直方体状に枠組みされた架台１によってデッキ部２が水平に支持され、このデッキ部２に平面視略矩形状をなす開口部６が設けられた構造となっている。
なお、デッキ部２の上面には、研修の受講者の落下を防止するための安全枠３が設けられており、架台１の側面には、デッキ部２へと繋がる階段４が取り付けられている。また、安全枠３のうち、対向するように配置された箇所には、金属パイプ等からなる取付具５が架設されている。そして、デッキ部２の下には、踏み台１６を設置するのに十分な空間が設けられている（図３（ａ）参照）。
【００２５】
デッキ部２に設けられた開口部６を作業用足場の隙間に見立てた場合、この隙間を利用することにより作業用足場の隙間からの墜落という状況を高所作業等を行う作業者等に疑似体験させることができる。すなわち、上記構造の足場隙間体感研修装置は、当該作業者の危険予知能力を訓練するための研修機材としての機能を有している。そして、本発明の足場隙間体感研修装置を、このような研修機材として用いた場合、作業用足場の隙間から墜落という疑似体験を通して、その研修の受講者は高所作業において発生し得る各種の危険について再認識することができる。また、受講者は、高所作業時にどのような作業手順や姿勢をとったときに、隙間から墜落し易いかということを体感することで、危険に対する意識が強くなる。その結果、危険予知能力が高められる。
【００２６】
また、本発明の足場隙間体感研修装置においては、安全枠３によってデッキ部２に搭乗した受講者等の落下が防止されるため、安全性に優れている。さらに、作業用足場の隙間からの墜落を体感する目的等にデッキ部２の開口部６を使用しない場合には、安全帯に繋いだロープ等を取付具１５に吊り下げることで、開口部６を利用して「安全帯ぶら下がり体感実習」を行うことができる。すなわち、本発明の足場隙間体感研修装置では、デッキ部２の開口部６を墜落体感実習以外の用途にも有効利用することが可能である。
【００２７】
デッキ部２は、開口部６の両側に設置される２枚の渡し板７，７と、開口部６の一部を覆うように渡し板７，７の間に跨設される足場板８からなる。また、デッキ部２の下方には、開口部６に面する側の渡し板７，７の端縁に沿って、一対のガイドレール９，９が設置されている。
なお、ガイドレール９は、複数本の支柱１０によってそれぞれ水平に支持され、開口部６を挟んで対向するように配置される一対の桁材１１ａ，１１ａの上面に固定されている。そして、足場板８の下面には、平行な一対の端縁に沿ってガイドローラ１２，１２がガイドレール９の上を走行可能に設置されている。
【００２８】
このような構造の足場隙間体感研修装置を前述の研修機材として用いた場合、足場板８は高所作業における作業用足場に相当する。このとき、渡し板７は階段４を昇ってきた受講者が足場板８の方へ移動する際の通路又は次の受講者の待機場所としての機能を有している。また、足場板８を開口部６の端縁に沿って水平方向へスライドさせた場合、デッキ部２に形成される開口部６の大きさが変化する。
この場合、受講者は開口部６の大きさを変更して、その開口部６から墜落する体験を繰り返すことができる。これにより、受講者は、作業用足場の隙間について、頭、胸、腹、臀部等の各自の体形や、前向きか、横向きか、若しくは保護具を装着しているか等の作業姿勢に応じて、墜落する可能性がある最小サイズを容易に確認することができる。したがって、受講者は、確認した隙間の最小サイズに基づき、各自の体形や作業姿勢ごとに作業用足場の隙間からの墜落の危険性を高い精度で予測することができる。すなわち、本発明の足場隙間体感研修装置を利用すれば、より適切に作業用足場の隙間からの墜落事故を防止するための対策を立てることができる。
【００２９】
足場板８の下面には、外形が平面視略門形をなす把持具１３（図４（ｂ）参照）の両端が固定具１４，１４を用いてそれぞれ枢着されている（図４（ａ）参照）。
また、桁材１１ａ，１１ａの間には、複数の桁材１１ｂが跨設されており、この桁材１１ｂの上面には、一対の係止具１５，１５が桁材１１ａと平行をなすように設置されている。すなわち、係止具１５は桁材１１ａ，１１ｂを介して架台１に固定されている。
なお、係止具１５は長尺状の板材であり、その側面の一つに複数の係止溝１５ａが幅方向に対して平行に設けられ、この係止溝１５ａを上方へ向けた状態で桁材１１ｂに固定されている。一方、把持具１３は、係止具１５の係止溝１５ａに対して係止可能に形成された棒状の係止部１３ａ（図４（ｂ）及び図４（ｃ）参照）を有している。そして、足場板８に対して把持具１３は、足場板８の移動に伴って、この係止部１３ａが係止具１５の係止溝１５ａに順次係止可能な位置に取り付けられている。
なお、本実施例では、足場板８を架台１に対してスライドさせることにより、デッキ部２の開口部６の大きさを４通りに調節可能となっている。
【００３０】
このような構造の足場隙間体感研修装置においては、足場板８の把持具１３に設けられた係止部１３ａが係止具１５の係止溝１５ａに係止することにより、足場板８が架台１に対して固定され、足場板８が不用意にスライドするおそれがないため、安全である。そして、把持具１３や係止具１５が簡単な構造であって、しかも足場板８の把持具１３が足場板８を架台１に対して固定するロック機構の一部を兼ねた構造であるため、当該ロック機構を安価に実現することができる。さらに、足場板８のスライド機構もガイドレール９とガイドローラ１２という簡単な形状の部材の組合せによって容易に実現されるため、足場板８のスライド機構も安価に製造することが可能である。
【００３１】
なお、本実施例では、係止具１５が桁材１１ｂの上面に固定されているが、本発明の足場隙間体感研修装置はこのような構造に限定されるものではない。すなわち、桁材１１ｂの代わりに平板材を用い、この平板材の上面に係止具１５が固定された構造としても良い。また、係止具１５及び係止溝１５ａの個数も本実施例に示した場合に限定されるものではなく、適宜変更可能である。
【産業上の利用可能性】
【００３２】
本発明は、高所作業時に設置される作業用足場の危険性を体感する研修機材として利用することができる。
【符号の説明】
【００３３】
１…架台  ２…デッキ部  ３…安全枠  ４…階段  ５…取付具  ６…開口部  ７…渡し板  ８…足場板  ９…ガイドレール  １０…支柱  １１ａ，１１ｂ…桁材  １２…ガイドローラ  １３…把持具  １３ａ…係止部  １４…固定具  １５…係止具  １５ａ…係止溝  １６…踏み台  
【図１】
0006601706.tif 000002
【図２】
0006601706.tif 000003
【図３】
0006601706.tif 000004
【図４】
0006601706.tif 000005